(57)【要約】  チャネル状態情報（ＣＳＩ）フィードバック法およびユーザ機器（ＵＥ）が提供される。このＣＳＩフィードバック法は、非コヒーレント結合伝送（ＪＴ）が行われる通信リソースを選択するステップであって、非コヒーレントＪＴは選択された通信リソースを用いることによって性能目標を達成する、ステップと、非コヒーレントＪＴに参加する基地局（ＢＳ）に、選択された通信リソースの指標をエンハンスドＣＳＩとしてフィードバックするステップとを含む。
2015515761.tif 000002
【特許請求の範囲】
【請求項１】
チャネル状態情報（ＣＳＩ）フィードバック法であって、
非コヒーレント結合伝送（ＪＴ）が行われる通信リソースを選択するステップであって、前記非コヒーレントＪＴは前記選択された通信リソースを用いることによって性能目標を達成する、ステップと、
前記非コヒーレントＪＴに参加する基地局（ＢＳ）に、前記選択された通信リソースの指標をエンハンスドＣＳＩとしてフィードバックするステップと
を含む、ＣＳＩフィードバック法。
【請求項２】
前記エンハンスドＣＳＩは、バンド部分（ＢＰ）の選択の指標である、請求項１に記載のＣＳＩフィードバック法。
【請求項３】
前記エンハンスドＣＳＩは、伝送ポイント（ＴＰ）の選択の指標である、請求項１に記載のＣＳＩフィードバック法。
【請求項４】
前記エンハンスドＣＳＩは、適応変調符号化（ＡＭＣ）テーブルの選択の指標である、請求項１に記載のＣＳＩフィードバック法。
【請求項５】
前記エンハンスドＣＳＩは、バンド部分（ＢＰ）の選択の指標、伝送ポイント（ＴＰ）の選択の指標、および適応変調符号化（ＡＭＣ）テーブルの選択の指標のうちの少なくとも２つの組み合わされた指標である、請求項１に記載のＣＳＩフィードバック法。
【請求項６】
ＬＴＥまたはＬＴＥ−Ａシステムにおいて、モード１−０またはモード２−０のフィードバックタイプ４が、広帯域ＣＱＩおよび前記エンハンスドＣＳＩをフィードバックするためのフィードバックタイプに置換されることによって、新たなモード１−０または新たなモード２−０が形成される、請求項１〜５のいずれか１項に記載のＣＳＩフィードバック法。
【請求項７】
前記エンハンスドＣＳＩおよび前記広帯域ＣＱＩは連結されるかまたは結合的に符号化され、
前記連結されるかまたは結合的に符号化される広帯域ＣＱＩおよびエンハンスドＣＳＩは、前記新たなモード１−０または前記新たなモード２−０に従ってフィードバックされる、請求項６に記載のＣＳＩフィードバック法。
【請求項８】
ＬＴＥまたはＬＴＥ−Ａシステムにおいて、モード１−０またはモード２−０のフィードバックタイプ４が、前記エンハンスドＣＳＩのみをフィードバックするためのフィードバックタイプに置換される、請求項１〜５のいずれか１項に記載のＣＳＩフィードバック法。
【請求項９】
前記モード１−０または前記モード２−０からフィードバックタイプ３が除去される、請求項６〜８のいずれか１項に記載のＣＳＩフィードバック法。
【請求項１０】
前記モード２−０のフィードバックタイプ１が、ＢＰにおける１つの好ましいサブバンド位置と、前記サブバンドにおける個々のコードワードに対するＣＱＩとをフィードバックするためのフィードバックタイプに置換される、請求項６〜９のいずれか１項に記載のＣＳＩフィードバック法。
【請求項１１】
ユーザ機器（ＵＥ）であって、
非コヒーレント結合伝送（ＪＴ）が行われる通信リソースを選択するように構成されたリソース選択ユニットを含み、前記非コヒーレントＪＴは前記選択された通信リソースを用いることによって性能目標を達成し、前記ＵＥはさらに、
前記非コヒーレントＪＴに参加する基地局（ＢＳ）に、前記選択された通信リソースの指標をエンハンスドＣＳＩとしてフィードバックするように構成されたチャネル状態情報（ＣＳＩ）フィードバックユニットを含む、ＵＥ。
【請求項１２】
前記エンハンスドＣＳＩは、バンド部分（ＢＰ）の選択の指標、伝送ポイント（ＴＰ）の選択の指標、および適応変調符号化（ＡＭＣ）テーブルの選択の指標のうちの少なくとも１つである、請求項１１に記載のＵＥ。
【請求項１３】
ＬＴＥまたはＬＴＥ−Ａシステムにおいて、モード１−０またはモード２−０は前記エンハンスドＣＳＩのフィードバックを可能にするように変更され、
前記ＣＳＩフィードバックユニットは前記変更されたモード１−０またはモード２−０に従って前記ＣＳＩをフィードバックする、請求項１１または１２に記載のＵＥ。
【請求項１４】
モード１−０またはモード２−０のフィードバックタイプ４が、広帯域ＣＱＩおよび前記エンハンスドＣＳＩをフィードバックするためのフィードバックタイプに置換されることによって、新たなモード１−０または新たなモード２−０が形成され、
前記ＵＥは、前記エンハンスドＣＳＩおよび前記広帯域ＣＱＩを連結するように構成された連結ユニットをさらに含み、
前記ＣＳＩフィードバックユニットは前記新たなモード１−０または前記新たなモード２−０に従って前記連結された広帯域ＣＱＩおよびエンハンスドＣＳＩをフィードバックする、請求項１３に記載のＵＥ。
【請求項１５】
モード１−０またはモード２−０のフィードバックタイプ４が、広帯域ＣＱＩおよび前記エンハンスドＣＳＩをフィードバックするためのフィードバックタイプに置換されることによって、新たなモード１−０または新たなモード２−０が形成され、
前記ＵＥは、前記エンハンスドＣＳＩおよび前記広帯域ＣＱＩを結合的に符号化するように構成された結合符号化ユニットをさらに含み、
前記ＣＳＩフィードバックユニットは前記新たなモード１−０または前記新たなモード２−０に従って前記結合的に符号化された広帯域ＣＱＩおよびエンハンスドＣＳＩをフィードバックする、請求項１３に記載のＵＥ。
【発明の詳細な説明】
【技術分野】
【０００１】
本発明は通信技術に関し、より特定的には、マルチ基地局（ｍｕｌｔｉ−Ｂａｓｅ  ｓｔａｔｉｏｎ：マルチＢＳ）協調モードにおいてチャネル状態情報（Ｃｈａｎｎｅｌ  Ｓｔａｔｅ  Ｉｎｆｏｒｍａｔｉｏｎ：ＣＳＩ）をフィードバックするための方法、およびその方法に対応するユーザ機器に関する。
【背景技術】
【０００２】
多重入出力（Ｍｕｌｔｉｐｌｅ  Ｉｎｐｕｔ  Ｍｕｌｔｉｐｌｅ  Ｏｕｔｐｕｔ：ＭＩＭＯ）無線伝送技術は、送信機および受信機の両方に複数のアンテナを配備し、かつ無線伝送において空間リソースを利用することによって、空間多重利得および空間ダイバーシチ利得を達成できる。情報理論の研究から、ＭＩＭＯシステムの容量は伝送アンテナの数および受信アンテナの数の最小値とともに線形的に増加することが示されている。図１は、ＭＩＭＯシステムの概略図を示す。図１に示されるとおり、送信機の複数のアンテナおよび各受信機の複数のアンテナは、空間ドメイン情報を含むマルチアンテナ無線チャネルを構成する。さらに、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＯＦＤＭ）技術は、強力なフェージング防止能力および高い周波数利用率を有するために、マルチパスおよびフェージング環境における高速データ伝送に好適である。ＭＩＭＯとＯＦＤＭとを組み合わせたＭＩＭＯ−ＯＦＤＭ技術は、新世代のモバイル通信に対するコア技術となっている。
【０００３】
たとえば、第３世代パートナーシップ・プロジェクト（ｔｈｅ  ３ｒｄ  Ｇｅｎｅｒａｔｉｏｎ  Ｐａｒｔｎｅｒｓｈｉｐ  Ｐｒｏｊｅｃｔ：３ＧＰＰ）組織は、モバイル通信分野の国際組織であり、３Ｇセルラー通信技術の規格化において重要な役割を果たしている。２００４年の後半に、３ＧＰＰ組織は、進化型ＵＭＴＳ地上無線アクセス（Ｅｖｏｌｖｅｄ  ＵＭＴＳ  Ｔｅｒｒｅｓｔｒｉａｌ  Ｒａｄｉｏ  Ａｃｃｅｓｓ：ＥＵＴＲＡ）および進化型ＵＭＴＳ地上無線アクセスネットワーク（Ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ：ＥＵＴＲＡＮ）を設計するためのいわゆるロングターム・エボリューション（Ｌｏｎｇ  Ｔｅｒｍ  Ｅｖｏｌｕｔｉｏｎ：ＬＴＥ）プロジェクトを開始した。ＭＩＭＯ−ＯＦＤＭ技術は、ＬＴＥシステムのダウンリンクで用いられる。２００８年４月に中国のシンセンで開催された会議において、３ＧＰＰ組織は４Ｇセルラー通信システム（現在はＬＴＥ−Ａシステムと呼ばれる）の規格化に対する議論を開始した。この会議において、「マルチアンテナ・マルチＢＳ協調」として公知の概念が多大な注目および支持を集めた。その概念の中核となるアイデアは、複数のＢＳが１つまたはそれ以上のユーザ機器（ｕｓｅｒ  ｅｑｕｉｐｍｅｎｔｓ：ＵＥ）に対する通信サービスを同時に提供できることによって、セルの端縁に位置するＵＥに対するデータ伝送速度が改善されるというものである。
【０００４】
マルチアンテナ・マルチＢＳ協調に関して、基本的合意は主に次の非特許文献１（規格文書）、すなわち２０１０年３月の３ＧＰＰ  ＴＲ  ３６．８１４  Ｖ９．０．０（２０１０−０３）、「Ｅ−ＵＴＲＡ物理層局面に対するさらなる進歩（リリース９）（Ｆｕｒｔｈｅｒ  ａｄｖａｎｃｅｍｅｎｔｓ  ｆｏｒ  Ｅ−ＵＴＲＡ  ｐｈｙｓｉｃａｌ  ｌａｙｅｒ  ａｓｐｅｃｔｓ（Ｒｅｌｅａｓｅ  ９））」より入手可能であり、その基本的合意は以下のとおりに要約され得る。
【０００５】
（１）マルチアンテナ・マルチＢＳサービスにおいて、ＵＥは、そのＵＥとセルのセットにおける各ＢＳ／セルとの間のリンクのチャネル状態／統計情報を報告する必要がある。このセルのセットは、マルチアンテナ・マルチＢＳ伝送に対する測定セットと呼ばれる。
【０００６】
（２）ＵＥが実際に情報フィードバックを行うＢＳ／セルのセットは測定セットの部分集合であってもよく、その部分集合はマルチアンテナ・マルチＢＳ伝送に対する協調セットと呼ばれる。当然、マルチアンテナ・マルチＢＳ伝送に対する協調セットはマルチアンテナ・マルチＢＳ伝送に対する測定セットと同じであってもよい。
【０００７】
（３）マルチアンテナ・マルチＢＳ伝送に対する協調セットにおけるＢＳ／セルは、直接的または間接的に、ＵＥに対する物理ダウンリンク共有チャネル（Ｐｈｙｓｉｃａｌ  Ｄｏｗｎｌｉｎｋ  Ｓｈａｒｅｄ  Ｃｈａｎｎｅｌ：ＰＤＳＣＨ）伝送に参加する。物理ダウンリンク共有チャネルは、ＵＥのデータチャネルである。
【０００８】
（４）複数のＢＳが協調伝送に直接参加するスキームは、結合処理（Ｊｏｉｎｔ  Ｐｒｏｃｅｓｓｉｎｇ：ＪＰ）と呼ばれる。ＪＰスキームは、協調に参加する複数のＢＳの間でＵＥのＰＤＳＣＨ信号を共有する必要があり、２つのアプローチに分割され得る。一方のアプローチは結合伝送（Ｊｏｉｎｔ  Ｔｒａｎｓｍｉｓｓｉｏｎ：ＪＴ）と呼ばれ、これは複数のＢＳが自身のＰＤＳＣＨ信号をＵＥに同時に伝送するというものである。他方のアプローチは動的セル選択（Ｄｙｎａｍｉｃ  Ｃｅｌｌ  Ｓｅｌｅｃｔｉｏｎ：ＤＣＳ）と呼ばれ、これはあらゆる時間に最適の信号リンクを有するただ１つのＢＳが選択されて、自身のＰＤＳＣＨ信号をＵＥに伝送するというものである。なお、規格化プロセスの進歩により、ＤＣＳは「セル」という限定された意味よりも「伝送ポイント（Ｔｒａｎｓｍｉｓｓｉｏｎ  Ｐｏｉｎｔ）」（ＴＰ）という拡張された意味において理解されるべきである。伝送ポイントという用語は、ダウンリンク基準信号（Ｒｅｆｅｒｅｎｃｅ  Ｓｉｇｎａｌ）パターン（ＣＳＩ−ＲＳパターン）に対応する複数の伝送ポートのセットを示す。
【０００９】
（５）複数のＢＳが協調伝送に間接的に参加するスキームは、協調ビーム形成／協調スケジューリング（Ｃｏｏｒｄｉｎａｔｅｄ  Ｂｅａｍｆｏｒｍｉｎｇ／Ｃｏｏｒｄｉｎａｔｅｄ  Ｓｃｈｅｄｕｌｉｎｇ：ＣＢ／ＣＳ）と呼ばれる。このＣＢ／ＣＳスキームにおいては、協調に参加する複数のＢＳの間でＵＥのＰＤＳＣＨ信号を共有する代わりに、異なるＵＥに対するＰＤＳＣＨの伝送に対するビーム／リソースが複数のＢＳ間で協調されることによって、互いの間の干渉が抑制される。
【００１０】
（６）マルチアンテナ・マルチＢＳ協調伝送環境において動作するＵＥに対して、情報フィードバックは主に各ＢＳに対して別々に行われ、サービングＢＳのアップリンクリソースを通じて伝送される。
【００１１】
本明細書において用いられる「情報フィードバック」という用語は主に、ＵＥがＢＳにＣＳＩをフィードバックすることによって、ＢＳがたとえば無線リソース管理などの対応動作を行えるようにするプロセスを示す。先行技術には主に以下の３つのＣＳＩフィードバックアプローチがある。
【００１２】
（完全ＣＳＩフィードバック）：ＵＥはトランシーバチャネルマトリックスのすべての要素を量子化し、各々の要素をＢＳにフィードバックする。代替的に、ＵＥはトランシーバチャネルマトリックスのすべての要素を同様に変調し、その結果をＢＳにフィードバックしてもよい。代替的に、ＵＥはトランシーバチャネルマトリックスに対する一時的共分散マトリックスを得て、共分散マトリックスのすべての要素を量子化し、各々の要素をＢＳにフィードバックしてもよい。よってＢＳは、ＵＥからフィードバックされたチャネル量子化情報から正確なチャネルを再構築できる。このアプローチは、非特許文献２、すなわち３ＧＰＰ  Ｒ１−０９３７２０、「ＣｏＭＰ  ｅメールの概要（ＣｏＭＰ  ｅｍａｉｌ  ｓｕｍｍａｒｙ）」、クアルコム（Ｑｕａｌｃｏｍｍ）に詳細に記載されており、その実施は図２に示されている。
【００１３】
（統計に基づくＣＳＩフィードバック）：ＵＥはトランシーバチャネルマトリックスに統計的プロセスを適用し、たとえばそのトランシーバチャネルマトリックスの共分散マトリックスを算出し、その統計情報を量子化するなどしてから、その結果をＢＳにフィードバックする。よってＢＳは、ＵＥからのフィードバックに基づいて、チャネルの統計状態情報を得ることができる。このアプローチは、非特許文献２、すなわち３ＧＰＰ  Ｒ１−０９３７２０、「ＣｏＭＰ  ｅメールの概要（ＣｏＭＰ  ｅｍａｉｌ  ｓｕｍｍａｒｙ）」、クアルコム（Ｑｕａｌｃｏｍｍ）に詳細に記載されており、その実施は図３に示されている。
【００１４】
（コードブック空間サーチに基づくＣＳＩフィードバック）：ＵＥおよびＢＳによって、ＣＳＩの有限集合が予め定義される（すなわちコードブック空間、通常のコードブック空間は、チャネルランクおよび／またはプリコーディングマトリックスおよび／またはチャネル品質指標などを含む）。トランシーバチャネルマトリックスを検出するとき、ＵＥはコードブック空間から現行チャネルマトリックスのＣＳＩに最もよく適合する要素をサーチし、その要素のインデックスをＢＳにフィードバックする。よってＢＳは、そのインデックスに基づいて予め定義されたコードブック空間をルックアップすることにより、大まかなＣＳＩを得る。このアプローチは、非特許文献３、すなわち３ＧＰＰ，Ｒ１−０８３５４６、「ダウンリンク結合処理ＣｏＭＰに対するセルごとのプリコーディング方法（Ｐｅｒ−ｃｅｌｌ  ｐｒｅｃｏｄｉｎｇ  ｍｅｔｈｏｄｓ  ｆｏｒ  ｄｏｗｎｌｉｎｋ  ｊｏｉｎｔ  ｐｒｏｃｅｓｓｉｎｇ  ＣｏＭＰ）」、ＥＴＲＩに詳細に記載されており、その実施は図４に示されている。
【００１５】
上記３つのアプローチのうち、完全ＣＳＩフィードバックが最高の性能を有するが、フィードバックオーバヘッドが最も高いために、実際のシステムに適用するには実用的でない。特に、マルチアンテナ・マルチＢＳ協調システムにおいて、そのシステムのフィードバックオーバヘッドはＢＳ数の増加に比例して増加するため、完全ＣＳＩフィードバックはさらに一層非実用的である。コードブック空間サーチに基づくＣＳＩフィードバックはフィードバックオーバヘッドが最も低いが、コードブック空間サーチに基づくＣＳＩフィードバックはチャネル状態を正確に記述できないために送信機がチャネル特性を十分に利用できず、そのチャネル特性に従った伝送を行うことができないことから、性能の点で最低である。しかしながら、このアプローチは実施が非常に簡単であり、典型的には数ビットでフィードバックを達成できる。よってこのアプローチは実際のシステムに広く適用される。これに対し、統計に基づくＣＳＩフィードバックは、これら２つのアプローチの良好なトレードオフを達成する。チャネル状態が有意な統計情報を有するとき、このアプローチは比較的少量のフィードバックによってチャネル状態を正確に記述でき、それによって比較的理想に近い性能を達成できる。
【００１６】
現在、ＬＴＥおよびＬＴＥ−Ａシステムにおいては、実際的なシステム実装に対する因子を考慮して、単一セル伝送モードにおいてコードブック空間サーチに基づくＣＳＩフィードバックが用いられている。ＬＴＥ−ＡシステムにおけるマルチＢＳ／セル協調モードにおいても、コードブック空間サーチに基づくこのＣＳＩフィードバックが用いられ続けることが予期される。
【００１７】
コードブック空間サーチに基づくＣＳＩフィードバックに対して、ＬＴＥシステムには２つのフィードバックチャネルがある。すなわち、物理アップリンク制御チャネル（Ｐｈｙｓｉｃａｌ  Ｕｐｌｉｎｋ  Ｃｏｎｔｒｏｌ  ＣＨａｎｎｅｌ：ＰＵＣＣＨ）および物理アップリンク共有チャネル（Ｐｈｙｓｉｃａｌ  Ｕｐｌｉｎｋ  Ｓｈａｒｅｄ  ＣＨａｎｎｅｌ：ＰＵＳＣＨ）である。一般的に、ＰＵＣＣＨはペイロードの低い周期的基本的ＣＳＩの伝送のために構成されているのに対し、ＰＵＳＣＨはペイロードの高いバースト性の拡張ＣＳＩの伝送のために構成されている。ＰＵＣＣＨに対する完全ＣＳＩは、異なるサブフレームで伝送されるさまざまなフィードバックコンテンツで構成される。一方、ＰＵＳＣＨに対する完全ＣＳＩは、１つのサブフレームにおいて伝送される。ＬＴＥ−Ａシステムにおいて、こうした設計はなおも原理的に適用可能である。
【００１８】
フィードバックコンテンツは３つのカテゴリに分割できる。すなわち、チャネル品質インデックス（Ｃｈａｎｎｅｌ  Ｑｕａｌｉｔｙ  Ｉｎｄｅｘ：ＣＱＩ）、プリコーディングマトリックスインデックス（Ｐｒｅｃｏｄｉｎｇ  Ｍａｔｒｉｘ  Ｉｎｄｅｘ：ＰＭＩ）およびランクインデックス（Ｒａｎｋ  Ｉｎｄｅｘ：ＲＩ）であり、これらのカテゴリはすべてビット量子化フィードバックである。ＣＱＩは典型的に、パケット誤り率が０．１以下の伝送フォーマットに対応する。
【００１９】
ＬＴＥシステムにおいては、ダウンリンクデータに対する次の８タイプのＭＩＭＯ伝送アプローチが定義されている。
【００２０】
（１）単一アンテナ伝送。単一アンテナ伝送は、単一アンテナＢＳにおける信号伝送に用いられる。このアプローチはＭＩＭＯシステムの特殊な事例であり、単一層のデータのみを伝送できる。
【００２１】
（２）伝送ダイバーシチ。ＭＩＭＯシステムにおいて、信号の受信品質を改善するために、信号の伝送に時間および／または周波数のダイバーシチ効果を利用してもよい。このアプローチは単一層のデータのみを伝送できる。
【００２２】
（３）開ループ空間分割多重。開ループ空間分割多重は、ＵＥからのＰＭＩフィードバックを必要としない空間分割多重である。
【００２３】
（４）閉ループ空間分割多重。閉ループ空間分割多重は、ＵＥからのＰＭＩフィードバックを必要とする空間分割多重である。
【００２４】
（５）マルチユーザＭＩＭＯ。同じ周波数におけるＭＩＭＯシステムのダウンリンク通信に、複数のＵＥが同時に参加している。
【００２５】
（６）閉ループ単一層プリコーディング。ＭＩＭＯシステムを用いて、ただ１つの単一層のデータが伝送される。ＵＥからのＰＭＩフィードバックが必要である。
【００２６】
（７）ビーム形成伝送。ＭＩＭＯシステムにおいてビーム形成技術が用いられる。ＵＥにおけるデータ復調のために専用の基準信号が用いられる。ＭＩＭＯシステムを用いて、ただ１つの単一層のデータが伝送される。ＵＥからのＰＭＩフィードバックは必要でない。
【００２７】
（８）２層ビーム形成伝送。ＰＭＩおよびＲＩをフィードバックするように、またはＰＭＩおよびＲＩをフィードバックしないようにＵＥが構成され得る。ＬＴＥ−Ａシステムにおいて、上記８タイプの伝送アプローチは保持および／またはキャンセルされてもよい。
【００２８】
新たなタイプの伝送アプローチ、すなわちタイプ９）動的ＭＩＭＯ切換えが任意に加えられてもよい。このタイプの伝送アプローチにおいて、ＢＳはＵＥが動作するＭＩＭＯモードを動的に調整できる。
【００２９】
上記のＭＩＭＯ伝送アプローチを支援するために、ＬＴＥシステムにおいてさまざまなＣＳＩフィードバックモードが定められている。以下に詳述するとおり、各ＭＩＭＯ伝送アプローチはいくつかのＣＳＩフィードバックモードに対応する。
【００３０】
ＰＵＣＣＨに対しては４つのＣＳＩフィードバックモードがある。すなわちモード１−０、モード１−１、モード２−０およびモード２−１である。これらのモードは、以下を含む４タイプのフィードバックの組み合わせである。
【００３１】
（１）タイプ１：バンド部分（Ｂａｎｄ  Ｐａｒｔ）（ＢＰ、通信スペクトルリソースのセットＳの部分集合であり、セットＳのサイズに依存するサイズを有する）における１つの好ましいサブバンド位置と、そのサブバンドに対するＣＱＩ。それぞれのオーバヘッドは、サブバンド位置に対してＬビット、第１のコードワードのＣＱＩに対して４ビット、および第１のコードワードのＣＱＩに関して差動符号化される可能な第２のコードワードのＣＱＩに対して３ビットである。
【００３２】
（２）タイプ２：広帯域ＣＱＩおよびＰＭＩ。それぞれのオーバヘッドは、第１のコードワードのＣＱＩに対して４ビット、第１のコードワードのＣＱＩに関して差動符号化される可能な第２のコードワードのＣＱＩに対して３ビット、およびＢＳのアンテナ構成に依存してＰＭＩに対して１、２または４ビットである。
【００３３】
（３）タイプ３：ＲＩ。ＲＩに対するオーバヘッドは、ＢＳのアンテナ構成に依存して、２アンテナに対して１ビット、または４アンテナに対して２ビットである。
【００３４】
（４）タイプ４：広帯域ＣＱＩ。オーバヘッドは４ビットである。
【００３５】
上記の異なるタイプに対応して、ＵＥは異なる情報をＢＳにフィードバックする。
【００３６】
モード１−０はタイプ３およびタイプ４の組み合わせである。すなわち、異なる期間および／または異なるサブフレームオフセットによってタイプ３およびタイプ４のフィードバックが行われ、セットＳにおける第１のコードワードの広帯域ＣＱＩとＲＩ情報とがフィードバックされることを意味する。
【００３７】
モード１−１はタイプ３およびタイプ２の組み合わせである。すなわち、異なる期間および／または異なるサブフレームオフセットによってタイプ３およびタイプ２のフィードバックが行われ、セットＳの広帯域ＰＭＩと、個々のコードワードに対する広帯域ＣＱＩと、ＲＩ情報とがフィードバックされることを意味する。
【００３８】
モード２−０はタイプ３、タイプ４およびタイプ１の組み合わせである。すなわち、異なる期間および／または異なるサブフレームオフセットによってタイプ３、タイプ４およびタイプ１のフィードバックが行われ、セットＳにおける第１のコードワードの広帯域ＣＱＩと、ＲＩ情報と、さらにＢＰにおける１つの好ましいサブバンド位置と、サブバンドにおける第１のコードワードに対するＣＱＩとがフィードバックされることを意味する。
【００３９】
モード２−１はタイプ３、タイプ２およびタイプ１の組み合わせである。すなわち、異なる期間および／または異なるサブフレームオフセットによってタイプ３、タイプ２およびタイプ１のフィードバックが行われ、セットＳの広帯域ＰＭＩと、個々のコードワードに対する広帯域ＣＱＩと、ＲＩ情報と、さらにＢＰにおける１つの好ましいサブバンド位置と、サブバンドにおける個々のコードワードに対するＣＱＩとがフィードバックされることを意味する。
【００４０】
よって、ＭＩＭＯ伝送アプローチとＣＳＩフィードバックモードとの間には次の対応が存在する。
【００４１】
ＭＩＭＯ伝送アプローチ１）：モード１−０およびモード２−０、
ＭＩＭＯ伝送アプローチ２）：モード１−０およびモード２−０、
ＭＩＭＯ伝送アプローチ３）：モード１−０およびモード２−０、
ＭＩＭＯ伝送アプローチ４）：モード１−１およびモード２−１、
ＭＩＭＯ伝送アプローチ５）：モード１−１およびモード２−１、
ＭＩＭＯ伝送アプローチ６）：モード１−１およびモード２−１、
ＭＩＭＯ伝送アプローチ７）：モード１−０およびモード２−０、
ＭＩＭＯ伝送アプローチ８）：ＵＥからのＰＭＩ／ＲＩフィードバック有のとき、モード１−１およびモード２−１；またはＵＥからのＰＭＩ／ＲＩフィードバック無のとき、モード１−０およびモード２−０。
【００４２】
ここで、ＣＱＩ、ＰＭＩおよびＲＩはＬＴＥ−Ａシステムの単一ＢＳ伝送アプローチにおける主要なフィードバックコンテンツである。伝送アプローチ４）および８）に対応するフィードバックモードに一致するＵＥに対するフィードバックモードを保ち、かつ新たな伝送アプローチ９）を可能にするために、ＢＳが８つの伝送アンテナを備えるシナリオに対してＬＴＥ−Ａシステムのモード１−１およびモード２−１が最適化される。すなわち、２つのチャネルプリコーディングマトリックスインデックスＷ１およびＷ２からＰＭＩが集合的に定められ、ここでＷ１は広帯域／長期チャネル特性を示し、Ｗ２はサブバンド／短期チャネル特性を示す。ＰＵＣＣＨにおけるＷ１およびＷ２の伝送のために、モード１−１が２つのサブモードに細分される。すなわち、モード１−１（サブモード１）およびモード１−１（サブモード２）である。加えて、元のモード２−１が修正される。
【００４３】
新たに定義されたフィードバックモードを支援するために、ＬＴＥ−Ａシステムにおけるいくつかのタイプのフィードバックが次のとおりに新たに定義される。
【００４４】
タイプ１ａ：バンド部分（ＢＰ、通信スペクトルリソースのセットＳの部分集合であり、セットＳのサイズに依存するサイズを有する）における１つの好ましいサブバンド位置と、そのサブバンドに対するＣＱＩと、さらに別のサブバンドに対するＷ２。サブバンド位置に対するオーバヘッドはＬビットであり、ＣＱＩおよびＷ２に対する合計オーバヘッドは８ビット（ＲＩ＝１のとき）、９ビット（１＜ＲＩ＜５のとき）、または７ビット（ＲＩ＞４のとき）である。
【００４５】
タイプ２ａ：Ｗ１。Ｗ１に対するオーバヘッドは４ビット（ＲＩ＜３のとき）、２ビット（２＜ＲＩ＜８のとき）、または０ビット（ＲＩ＝８のとき）である。
【００４６】
タイプ２ｂ：広帯域Ｗ２および広帯域ＣＱＩ。広帯域Ｗ２および広帯域ＣＱＩに対する合計オーバヘッドは８ビット（ＲＩ＝１のとき）、１１ビット（１＜ＲＩ＜４のとき）、１０ビット（ＲＩ＝４のとき）、または７ビット（ＲＩ＞４のとき）である。
【００４７】
タイプ２ｃ：広帯域ＣＱＩ、Ｗ１および広帯域Ｗ２。広帯域ＣＱＩ、Ｗ１および広帯域Ｗ２に対する合計オーバヘッドは８ビット（ＲＩ＝１のとき）、１１ビット（１＜ＲＩ＜４のとき）、９ビット（ＲＩ＝４のとき）、または７ビット（ＲＩ＞４のとき）である。なお、フィードバックオーバヘッドを制限するために、Ｗ１および広帯域Ｗ２は値の不完全なセット（すなわち部分集合）からの値を取り、そのセットはＷ１および広帯域Ｗ２のすべての可能な値をダウンサンプリングすることによって得られる。
【００４８】
タイプ５：ＲＩおよびＷ１。ＲＩおよびＷ１に対する合計オーバヘッドは、４ビット（８アンテナおよび２層データ多重の場合）または５ビット（８アンテナおよび４／８層データ多重の場合）である。なお、フィードバックオーバヘッドを制限するために、Ｗ１は値の不完全なセット（すなわち部分集合）からの値を取り、そのセットはＷ１のすべての可能な値をダウンサンプリングすることによって得られる。
【００４９】
タイプ６：ＲＩおよびプリコーディングタイプ指標（Ｐｒｅｃｏｄｉｎｇ  Ｔｙｐｅ  Ｉｎｄｉｃａｔｏｒ：ＰＴＩ）。ＰＴＩに対するオーバヘッドは１ビットであり、プリコーディングのタイプを示す。ＲＩおよびＰＴＩに対する合計オーバヘッドは、２ビット（８アンテナおよび２層データ多重の場合）、３ビット（８アンテナおよび３層データ多重の場合）、または４ビット（８アンテナおよび８層データ多重の場合）である。
【００５０】
本記載において、「Ｗ２」が単独で用いられるときは「サブバンドＷ２」を示し、「広帯域Ｗ２」は完全な表現によって示されるものとする。
【００５１】
モード１−１（サブモード１）、モード１−１（サブモード１）およびモード２−１と、フィードバックの元のタイプおよび上記の新タイプとの間のモード−タイプの関係は次のとおりである。
【００５２】
（１）モード１−１（サブモード１）は、タイプ５およびタイプ２ｂの組み合わせである。すなわち、異なる期間および／または異なるサブフレームオフセットによってタイプ５およびタイプ２ｂのフィードバックが行われる。
【００５３】
（２）モード１−１（サブモード２）は、タイプ３およびタイプ２／２ｃの組み合わせである。
【００５４】
（２．１）ＭＩＭＯ伝送アプローチがタイプ４）または８）のものであるとき、モード１−１（サブモード２）はタイプ３およびタイプ２で構成される。すなわち、異なる期間および／または異なるサブフレームオフセットによってタイプ３およびタイプ２のフィードバックが行われる。
【００５５】
（２．２）ＭＩＭＯ伝送アプローチがタイプ９）のものであるとき、モード１−１（サブモード２）はタイプ３およびタイプ２ｃで構成される。すなわち、異なる期間および／または異なるサブフレームオフセットによってタイプ３およびタイプ２ｃのフィードバックが行われる。
【００５６】
（３）新たなモード２−１はタイプ９）のＭＩＭＯ伝送アプローチに対して特定的であり、タイプ６、タイプ２ｂおよびタイプ２ａ／１ａの組み合わせである。
【００５７】
（３．１）タイプ６のＰＴＩが０のとき、新たなモード２−１はタイプ６、タイプ２ｂおよびタイプ２ａで構成される。すなわち、異なる期間および／または異なるサブフレームオフセットによってタイプ６、タイプ２ｂおよびタイプ２ａのフィードバックが行われる。
【００５８】
（３．２）タイプ６のＰＴＩが１のとき、新たなモード２−１はタイプ６、タイプ２ｂおよびタイプ１ａで構成される。すなわち、異なる期間および／または異なるサブフレームオフセットによってタイプ６、タイプ２ｂおよびタイプ１ａのフィードバックが行われる。
【００５９】
さらに、非特許文献４、すなわち２０１１年１月にアイルランドのダブリンにて開催された３ＧＰＰ  ＴＳＧ−ＲＡＮ  ＷＧ１会議（ｍｅｅｔｉｎｇ）＃６３ｂｉｓの議事録によると、ＬＴＥ−Ａシステムにおけるマルチアンテナ・マルチＢＳ協調の研究に対する典型的なシナリオにおいては、マクロＢＳが光ファイバを介して、ＢＳのセルＩＤと同じであるかまたは異なるセルＩＤを有する複数の低出力リモート無線ヘッド（Ｒｅｍｏｔｅ  Ｒａｄｉｏ  Ｈｅａｄｓ：ＲＲＨ）に接続されることが注記されている。非特許文献５、すなわち２０１１年８月にギリシァのアテネにて開催された３ＧＰＰ  ＴＳＧ−ＲＡＮ  ＷＧ１会議＃６６の議事録によると、マルチアンテナ・マルチＢＳ協調はシステムのスループットを改善するために著しく効果的であり、マルチアンテナ・マルチＢＳ協調に対するＣＳＩフィードバックは重要な研究トピックとなっている。
【００６０】
現在、ＬＴＥ−Ａシステムにおけるマルチアンテナ・マルチＢＳ協調に対するＣＳＩフィードバックに関する仮の結論は、フィードバックコンテンツがたとえばＣＱＩ、ＰＭＩおよびＲＩなどのコードブック空間サーチに基づくＣＳＩを含み、情報フィードバックは主に各ＢＳに対するＣＳＩの独立フィードバックに基づき、かつＢＳ間の相対的ＣＳＩ（フェーズ情報など）のフィードバックに補助されるというものである。よって、非特許文献６、すなわち２０１１年１０月に中国の珠海にて開催された３ＧＰＰ  ＴＳＧ−ＲＡＮ  ＷＧ１会議＃６６ｂｉｓの議事録によると、たとえばＪＴ、ＤＰＳ、ＣＳ／ＣＢなどのスキームは、統一されたＣＳＩフィードバックフレームワークにおいて動的に支援され得る。このフレームワークにおいてはまだ研究されるべき問題がいくつかある。
【００６１】
特に、マルチアンテナ・マルチＢＳ協調の研究に対する典型的なシナリオにおいて、ＢＳ間の相対的ＣＳＩを伴わない非コヒーレントＪＴが、比較的低いフィードバックオーバヘッドにてシステム性能のかなりの増加を達成している（非特許文献７、すなわち２０１２年２月に開催されたＴＳＧ−ＲＡＮ  ＷＧ１会議＃６８において提案されたＲ１−１２０７８３、エリクソン（Ｅｒｉｃｓｓｏｎ）、「インコヒーレントおよびコヒーレントＪＴ  ＣｏＭＰの性能（Ｐｅｒｆｏｒｍａｎｃｅ  ｏｆ  Ｉｎｃｏｈｅｒｅｎｔ  ａｎｄ  Ｃｏｈｅｒｅｎｔ  ＪＴ  ＣｏＭＰ）」を参照）。
【先行技術文献】
【非特許文献】
【００６２】
【非特許文献１】３ＧＰＰ  ＴＲ  ３６．８１４  Ｖ９．０．０（２０１０−０３）、「Ｅ−ＵＴＲＡ物理層局面に対するさらなる進歩（リリース９）（Ｆｕｒｔｈｅｒ  ａｄｖａｎｃｅｍｅｎｔｓ  ｆｏｒ  Ｅ−ＵＴＲＡ  ｐｈｙｓｉｃａｌ  ｌａｙｅｒ  ａｓｐｅｃｔｓ（Ｒｅｌｅａｓｅ  ９））」
【非特許文献２】３ＧＰＰ  Ｒ１−０９３７２０、「ＣｏＭＰ  ｅメールの概要（ＣｏＭＰ  ｅｍａｉｌ  ｓｕｍｍａｒｙ）」、クアルコム（Ｑｕａｌｃｏｍｍ）
【非特許文献３】３ＧＰＰ，Ｒ１−０８３５４６、「ダウンリンク結合処理ＣｏＭＰに対するセルごとのプリコーディング方法（Ｐｅｒ−ｃｅｌｌ  ｐｒｅｃｏｄｉｎｇ  ｍｅｔｈｏｄｓ  ｆｏｒ  ｄｏｗｎｌｉｎｋ  ｊｏｉｎｔ  ｐｒｏｃｅｓｓｉｎｇ  ＣｏＭＰ）」、ＥＴＲＩ
【非特許文献４】２０１１年１月にアイルランドのダブリンにて開催された３ＧＰＰ  ＴＳＧ−ＲＡＮ  ＷＧ１会議（ｍｅｅｔｉｎｇ）＃６３ｂｉｓの議事録
【非特許文献５】２０１１年８月にギリシアのアテネにて開催された３ＧＰＰ  ＴＳＧ−ＲＡＮ  ＷＧ１会議＃６６の議事録
【非特許文献６】２０１１年１０月に中国の珠海にて開催された３ＧＰＰ  ＴＳＧ−ＲＡＮ  ＷＧ１会議＃６６ｂｉｓの議事録
【非特許文献７】２０１２年２月に開催されたＴＳＧ−ＲＡＮ  ＷＧ１会議＃６８において提案されたＲ１−１２０７８３、エリクソン（Ｅｒｉｃｓｓｏｎ）、「インコヒーレントおよびコヒーレントＪＴ  ＣｏＭＰの性能（Ｐｅｒｆｏｒｍａｎｃｅ  ｏｆ  Ｉｎｃｏｈｅｒｅｎｔ  ａｎｄ  Ｃｏｈｅｒｅｎｔ  ＪＴ  ＣｏＭＰ）」
【非特許文献８】３ＧＰＰ、Ｒ１−０９２４２７、「ＬＴＥ−Ａシステムにおける仮想化ＬＴＥアンテナに対するＣＳＩ−ＲＳ設計（ＣＳＩ−ＲＳ  Ｄｅｓｉｇｎ  ｆｏｒ  Ｖｉｒｔｕａｌｉｚｅｄ  ＬＴＥ  Ａｎｔｅｎｎａ  ｉｎ  ＬＴＥ−Ａ  Ｓｙｓｔｅｍ）」、富士通（Ｆｕｊｉｔｓｕ）
【非特許文献９】ＴＳＧ−ＲＡＮ  ＷＧ１会議＃６７において提案されたＲ１−１１４２５８、エリクソン（Ｅｒｉｃｓｓｏｎ）、「ＤＬ  ＣｏＭＰに対するＣＳＩフィードバック（ＣＳＩ  Ｆｅｅｄｂａｃｋ  ｆｏｒ  ＤＬ  ＣｏＭＰ）」
【発明の概要】
【発明が解決しようとする課題】
【００６３】
しかしながら、既存のフィードバックモードに従った既存のＣＳＩのフィードバックは、非コヒーレントＪＴをあまり良好に支援しない。特に、現行の技術仕様は非コヒーレントＪＴに対する典型的フィードバックモードとしてモード１−０またはモード２−０を指定するが、既存のモード１−０またはモード２−０に関連するフィードバック情報は効果が低く、非コヒーレントＪＴの性能は通常、満足できるものではない。
【００６４】
上記の技術的問題を解決するために、本発明は、エンハンスド（ｅｎｈａｎｃｅｄ）ＣＳＩをフィードバックすることによって非コヒーレントＪＴの性能を改善する、新規のＣＳＩフィードバック法およびユーザ機器を提案する。既存の仕様に適合するために、本発明はさらに、変更されたフィードバックモードに従ってエンハンスドＣＳＩをどのようにフィードバックするかを提案する。
【課題を解決するための手段】
【００６５】
上記の目的を達成するために、本発明の第１の局面に従うと、チャネル状態情報（ＣＳＩ）フィードバック法が提供され、この方法は、非コヒーレント結合伝送（ＪＴ）が行われる通信リソースを選択するステップであって、非コヒーレントＪＴは選択された通信リソースを用いることによって性能目標を達成する、ステップと、非コヒーレントＪＴに参加する基地局（ＢＳ）に、選択された通信リソースの指標をエンハンスドＣＳＩとしてフィードバックするステップとを含む。
【００６６】
本発明の目的を達成するために、本発明の第２の局面に従うと、ユーザ機器（ＵＥ）が提供され、このユーザ機器は、非コヒーレントＪＴが行われる通信リソースを選択するように構成されたリソース選択ユニットを含み、非コヒーレントＪＴは選択された通信リソースを用いることによって性能目標を達成し、ユーザ機器はさらに、非コヒーレントＪＴに参加するＢＳに、選択された通信リソースの指標をエンハンスドＣＳＩとしてフィードバックするように構成されたＣＳＩフィードバックユニットを含む。
【発明の効果】
【００６７】
本発明によるＣＳＩフィードバック法およびユーザ機器は、システムスループットが高く、実施が簡単であり、かつ信号伝達オーバヘッドが低いという利点を有する。
【００６８】
本発明の上記およびその他の目的、特徴および利点は、図面を参照して示された以下の好ましい実施形態からより明確になるであろう。
【図面の簡単な説明】
【００６９】
【図１】ＭＩＭＯシステムの概略図である。
【図２】完全ＣＳＩフィードバックの概略図である。
【図３】統計に基づくＣＳＩフィードバックの概略図である。
【図４】コードブック空間サーチに基づくＣＳＩフィードバックの概略図である。
【図５】マルチセル・セルラー通信システムの概略図である。
【図６】本発明によるＣＳＩフィードバック法を示す流れ図である。
【図７】広帯域ＣＱＩおよびエンハンスドＣＳＩをフィードバックするためのフィードバックタイプを示す概略図である。
【図８】広帯域ＣＱＩおよびＢＰの選択の指標をフィードバックするためのフィードバックタイプを示す概略図である。
【図９】広帯域ＣＱＩおよびＴＰの選択の指標をフィードバックするためのフィードバックタイプを示す概略図である。
【図１０】広帯域ＣＱＩおよびＡＭＣテーブルの選択の指標をフィードバックするためのフィードバックタイプを示す概略図である。
【図１１】シフトによって得られる変調符号化テーブルの概略図である。
【図１２】エンハンスドＣＳＩのみをフィードバックするためのフィードバックタイプを示す概略図である。
【図１３】本発明によるＵＥの概略ブロック図である。
【発明を実施するための形態】
【００７０】
図面を参照して、本発明の好ましい実施形態を詳述する。以下の説明においては、本発明の概念を曖昧にしないために、本発明に必要のない詳細および機能は省略する。本発明の実施ステップを明瞭かつ詳細に説明するために、ＬＴＥ−Ａセルラー通信システムのダウンリンクに適用可能ないくつかの特定の実施形態を以下に提供する。本発明は実施形態において例示される適用に限定されないことを注記する。むしろ、本発明はたとえば将来の５Ｇシステムなど、その他の通信システムにも適用可能である。
【００７１】
加えて、本明細書において用いられる「サービングＢＳ（ｓｅｒｖｉｎｇ  ＢＳ）」、「協働ＢＳ（ｃｏｏｐｅｒａｔｉｎｇ  ＢＳ）」、および「協働ＢＳセット（ｃｏｏｐｅｒａｔｉｎｇ  ＢＳ  ｓｅｔ）」という用語のうち、当業者によって通常用いられる「サービングＢＳ」という用語は、ＭＳに制御信号を直接伝送できるＢＳを示すことを注記する。しかしながら、異なる概念を明確に区別するために、「協働ＢＳ」という用語は当業者が熟知するものとは異なる態様で用いられる。具体的には、当業者は通常、協調伝送に参加するすべてのＢＳを示すためにこの用語を用いるが、本明細書において用いられる「協働ＢＳ」という用語は特に、協調伝送に参加するサービングＢＳ以外のＢＳを示す。「協働ＢＳセット」という用語は、こうした「協働ＢＳ」のセットを示す。当然、協働ＢＳセットに「サービングＢＳ」は含まれない。さらに、「ＢＳ」という用語は単一の物理的エンティティとして狭く解釈されるべきではない。むしろ、１つまたはそれ以上の伝送ポートによって形成されるＴＰも「ＢＳ」として解釈されてもよい。なぜなら、ＵＥの観点からは、「ＢＳ」および「ＴＰ」はどちらも音声またはデータサービスを供給する論理的基準点であり、区別される必要がないからである。
【００７２】
図５は、マルチセル・セルラー通信システムの概略図である。セルラーシステムは、サービスカバレッジ区域をいくつかの隣接する無線カバレッジ区域、すなわちセルに分割している。図５において、全体のサービス区域は、各々が例示的に六角形として示されるセル１００、１０２および１０４によって形成される。基地局（ＢＳ）２００、２０２および２０４は、それぞれセル１００、１０２および１０４に関連付けられる。当業者に公知であるとおり、ＢＳ２００〜２０４の各々は少なくとも送信機および受信機を含む。なお、一般的にセル内のサービングノードであるＢＳは、リソーススケジューリングの機能を有する独立ＢＳ、独立ＢＳに属する伝送ノード、または（典型的にセルのカバレッジをさらに改善するために構成される）リレーノードなどであってもよい。図５に例示的に示されるとおり、ＢＳ２００〜２０４の各々はセル１００〜１０４のうち対応するセルの特定の区域に位置し、かつ全方向性アンテナを備える。しかし、セルラー通信システムに対するセル配置において、ＢＳ２００〜２０４の各々は、一般的にセクタと呼ばれる、セル１００〜１０４のうち対応するセルの部分的区域を指向的にカバーするための指向性アンテナを備えてもよいことを注記する。よって、図５に示されるマルチセル・セルラー通信システムの図は単なる例示であって、セルラーシステムにおける本発明の実施が上記の限定に依拠することを意味するものではない。
【００７３】
図５に示されるとおり、ＢＳ２００、２０２および２０４は、Ｘ２インタフェース３００、３０２および３０４を介して互いに接続される。ＬＴＥ−Ａシステムにおいては、基地局と、無線ネットワーク制御ユニットと、コアネットワークとを含む３層ノードネットワークアーキテクチャが２層ノードアーキテクチャに簡略化されており、２層ノードアーキテクチャにおいては無線ネットワーク制御ユニットの機能が基地局に割り当てられ、基地局間の協調および通信のために「Ｘ２」と名付けられた有線インタフェースが定められる。
【００７４】
図５において、ＢＳ２００、２０２および２０４は、エアインタフェースすなわちＡ１インタフェース３１０、３１２および３１４を介しても互いに接続される。将来の通信システムにおいて、リレーノードの概念を導入することも可能である。リレーノードは無線インタフェースを介して互いに接続され、基地局は特殊なリレーノードと考えられ得る。よって、「Ａ１」と名付けられた無線インタフェースは基地局間の協調および通信のために用いられ得る。
【００７５】
加えて、図５にはＢＳ２００、２０２および２０４の上位層エンティティ２２０も示されており、上位層エンティティ２２０は、ゲートウェイまたはたとえばモビリティ管理エンティティなどの別のネットワークエンティティであってもよい。上位層エンティティ２２０は、ＢＳ２００、２０２および２０４にそれぞれＳ１インタフェース３２０、３２２および３２４を介して接続される。ＬＴＥ−Ａシステムにおいて、「Ｓ１」と名付けられた有線インタフェースは、上位層エンティティと基地局との間の協調および通信のために定められる。
【００７６】
図５に示されるとおり、セル１００、１０２および１０４上にはいくつかのユーザ機器（ＵＥ）４００、４０２．．．４３０が分散している。当業者に公知であるとおり、ＵＥ４００〜４３０の各々は送信機と、受信機と、モバイル端末制御ユニットとを含む。ＵＥの各々は、自身のサービングＢＳ（ＢＳ２００、２０２および２０４の１つ）を介してセルラー通信システムにアクセスできる。図５においては１６個のＵＥのみが例示的に示されているが、実際には多数のＵＥが存在し得ることが理解されるべきである。この意味で、図５におけるＵＥの説明も例示的な目的のみのためのものである。ＵＥの各々は、自身のサービングＢＳを介してセルラー通信ネットワークにアクセスできる。特定のＵＥに制御信号を直接伝送するＢＳが、そのＵＥに対するサービングＢＳと呼ばれ、他のＢＳはそのＵＥに対する非サービング（ｎｏｎ−ｓｅｒｖｉｎｇ）ＢＳと呼ばれる。非サービングＢＳは、そのＵＥに通信サービスを提供するためにサービングＢＳと協働する協働ＢＳとして機能し得る。
【００７７】
本発明の特定の実施形態の説明のために、ＵＥ４１６について考える。ＵＥ４１６はマルチＢＳ協調モードで動作し、ＵＥ４１６のサービングＢＳはＢＳ２０２であり、協働ＢＳはＢＳ２００および２０４である。なお、ＵＥ４１６に焦点が当てられるが、このことは本発明が１つのＵＥのシナリオにのみ適応可能であることを意味するものではない。本発明はマルチＵＥのシナリオにも有効である。たとえば、図５に示されるとおり、本発明の方法はＵＥ４０８、４１０、４３０などにも適用可能である。この実施シナリオには１つのサービングＢＳおよび２つの協働ＢＳが示されているが、もちろんこのことは本発明の適用がこうした限定に依拠することを意味するものではない。実際には、サービングＢＳおよび協働ＢＳの数は限定されない。
【００７８】
以下に、本発明によるＣＳＩフィードバック法を詳細に説明する。特定の実施形態の説明においては、以下のマルチＢＳ協調のシナリオが想定される。
【００７９】
例示目的のためだけの例として、マルチＢＳ協調モードで動作するＵＥ４１６は、サービングＢＳとしてＢＳ２０２を有し、協働ＢＳ（非サービングＢＳ）としてＢＳ２００および２０４を有する。ＵＥ４１６に対するマルチアンテナ・マルチＢＳ協調伝送のために、ＢＳ２００およびＢＳ２０２の各々は８つの伝送アンテナを備え、かつ８つの伝送ポートを使用し、ＢＳ２０４は４つの伝送アンテナを備え、かつ４つの伝送ポートを使用する。ＵＥ４１６は単一アンテナデバイスまたはマルチアンテナデバイスであってもよい。マルチＢＳ協調モードで動作可能なあらゆるその他のＵＥ（例、ＵＥ４００〜４３０のいずれか）に対しても、サービングＢＳおよび協働ＢＳが規定されている。
【００８０】
なお、典型的にＢＳの伝送アンテナの数は伝送ポートの数に等しいが、ＢＳの伝送アンテナおよび伝送ポートは必ずしも１対１対応でなくてもよい。実際の実施においては、複数の伝送アンテナを重み付けした態様で組み合わせることによって、ＢＳの複数の伝送アンテナを単一の伝送ポートにマップしてもよい（非特許文献８、すなわち３ＧＰＰ、Ｒ１−０９２４２７、「ＬＴＥ−Ａシステムにおける仮想化ＬＴＥアンテナに対するＣＳＩ−ＲＳ設計（ＣＳＩ−ＲＳ  Ｄｅｓｉｇｎ  ｆｏｒ  Ｖｉｒｔｕａｌｉｚｅｄ  ＬＴＥ  Ａｎｔｅｎｎａ  ｉｎ  ＬＴＥ−Ａ  Ｓｙｓｔｅｍ）」、富士通（Ｆｕｊｉｔｓｕ）を参照）。
【００８１】
さらに、上記のシナリオにおいて用いられる一貫性のない伝送ポート構成に従う特定の伝送ポート数は、単なる例示の目的のみのためのものであることを注記する。本発明の適用は、決してこれらの数に限定されない。むしろ本発明の実施形態を考慮して、本発明はあらゆる伝送ポート構成に広く適用可能であることを当業者は認識するだろう。
【００８２】
以下、図６を参照して本発明によるＣＳＩフィードバック法の流れを詳細に説明する。図６に示されるとおり、本発明によるＣＳＩフィードバック法６００はステップＳ６０１から始まる。ステップＳ６０１において、ＵＥは非コヒーレントＪＴが行われる通信リソースを選択する。以下の詳細な説明にそれぞれ提示されるとおり、リソースはＢＰのセット、ＴＰのセットまたはＡＭＣテーブルのセットから選択されてもよい。提案されるとおり、上記３つのセットのうちのあらゆる２つの和集合または上記３つのセットの和集合からリソースの群を選択することも可能である。さらに、通信リソースは上記３種類の通信リソースから選択されることに限定されないことが認識されるべきである。実際には、ステップＳ６０１において、非コヒーレントＪＴの性能に影響するあらゆる種類の通信リソースのセットの中から適切な通信リソースが選択され得ると考えられる。
【００８３】
通信リソースを選択するための基準は、選択された通信リソースが非コヒーレントＪＴの性能目標を達成できることである。以下の詳細な説明において、非コヒーレントＪＴの性能目標とはシステムスループットを最大化することである。非コヒーレントＪＴの性能目標はシステムスループットを最大化することに限定されず、システム利用率を最大化すること、ユーザ通信のＱｏＳを保証すること、セル境界におけるユーザ経験を改善すること、および／またはその他であってもよいことを当業者は認識するだろう。
【００８４】
その後この方法はステップＳ６０２に進み、ステップＳ６０２においてＵＥは非コヒーレントＪＴに参加するＢＳに、選択された通信リソースの指標をエンハンスドＣＳＩとしてフィードバックする。したがって、以下の詳細な説明に示されるとおり、エンハンスドＣＳＩは、選択されたＢＰ、選択されたＴＰおよび選択されたＡＭＣテーブルのうちの１つか、または選択されたＢＰ、選択されたＴＰおよび選択されたＡＭＣテーブルのうちの２つか、または選択されたＢＰ、選択されたＴＰおよび選択されたＡＭＣテーブルのすべてを示してもよい。加えて、エンハンスドＣＳＩは上記のコンテンツを示すことに限定されないことが認識されるべきである。実際には、ステップＳ６０２において非コヒーレントＪＴに参加するＢＳにフィードバックされるコンテンツは、ステップＳ６０１においてどの通信リソースが選択されたかによって異なる。
【００８５】
ＬＴＥおよびＬＴＥ−Ａシステムにおける既存のフィードバックアプローチにできる限り適合するために、上述のエンハンスドＣＳＩをフィードバックするために、既存のフィードバックモード１−０またはモード２−０に基づく新たなフィードバックモード１−０またはモード２−０が導入される。図７に示されるとおり、モード１−０またはモード２−０のタイプ４（広帯域ＣＱＩ）にエンハンスドＣＳＩを加えることによって新たなフィードバックタイプが形成されて、前記新たなフィードバックモード１−０またはモード２−０が形成される。こうした設計の背後にある技術的原理は次のとおりである。非コヒーレントＪＴは典型的に（時間、周波数、空間、またはＴＰなどの点で）少数のリソースに対してのみ良好な性能を達成する。比較的大きな予備ペイロードを有するタイプ４にエンハンスドＣＳＩを加えることによって、ＢＳのスケジューラは非コヒーレントＪＴがどのリソースに対して良好な性能を有するかをより良く把握できるようになる。
【００８６】
上述のとおり、エンハンスドＣＳＩは、ＢＰの選択の指標、ＴＰの選択の指標、もしくはＡＭＣテーブルの選択の指標、またはそのあらゆる組み合わせであってもよい。以下においては、エンハンスドＣＳＩがＢＰの選択の指標であるとき、ＴＰの選択の指標であるとき、またはＡＭＣテーブルの指標であるときのそれぞれの場合について、タイプ４（広帯域ＣＱＩ）に選択されたリソースの指標を加えることによってエンハンスドＣＳＩをどのようにフィードバックするかを詳細に示す。
【００８７】
（広帯域ＣＱＩおよびＢＰの選択の指標）
（例１）：ＵＥ４１６に対して非コヒーレントＪＴは第２のＢＰにおいて高いシステムスループットを達成すると仮定し、ＵＥ４１６はタイプ４のフィードバックを行うときに、連結符号化または結合符号化などを通じて広帯域ＣＱＩの前または後にサービングＢＳに第２のＢＰのインデックス＃２（典型的に１〜３ビットで表わされる）をフィードバックしてもよい。その結果、ＢＳのスケジューラは非コヒーレントＪＴがどのリソースに対して良好な性能を有するかをより正確に把握できる。こうして形成された新たなフィードバックタイプを図８に示す。
【００８８】
（広帯域ＣＱＩおよびＴＰの選択の指標）
（例２）：ＵＥ４１６に対して非コヒーレントＪＴは特定のＴＰによって高いシステムスループットを達成すると仮定し、ＵＥ４１６はタイプ４のフィードバックを行うときに、連結符号化または結合符号化などを通じて広帯域ＣＱＩの前または後にサービングＢＳにＴＰの選択の指標（典型的に１〜３ビットで表わされる）をフィードバックしてもよい。その結果、ＢＳのスケジューラは非コヒーレントＪＴがどのリソースに対して良好な性能を有するかをより正確に把握できる。こうして形成された新たなフィードバックタイプを図９に示す。
【００８９】
上記のフィードバックのために、ＵＥは通常、サービングＢＳからマルチアンテナ・マルチＢＳ協調に参加するＴＰのセットを最初に取得する必要がある。このステップの非限定的な実施として、ＵＥ（例、ＵＥ４１６）はサービングＢＳ（例、サービングＢＳ２０２）に、ＵＥから自身の隣接ＢＳまでの経路の経路損失情報を定期的に報告してもよい。したがって、サービングＢＳはその報告からＵＥの地理的位置を推定し、その推定された地理的位置に基づいてマルチアンテナ・マルチＢＳ協調に参加するＴＰのセットを定め、たとえば無線リソース制御（Ｒａｄｉｏ  Ｒｅｓｏｕｒｃｅ  Ｃｏｎｔｒｏｌ：ＲＲＣ）信号または媒体アクセス制御（Ｍｅｄｉａ  Ａｃｃｅｓｓ  Ｃｏｎｔｒｏｌ：ＭＡＣ）層信号などの上位層信号を介してＵＥに対するＴＰのセットを半静的に（ｓｅｍｉ−ｓｔａｔｉｃａｌｌｙ）構成することができる。典型的に、ＵＥは単純にＴＰに対応するＲＳパターンを知らされてもよい。以下に、ＴＰセットがそれぞれ２つから８つのＴＰを含む場合に対するＴＰセットの７つの非限定的な例を提供する。
【００９０】
例２（ａ）：サービングＢＳ２０２がＵＥ４１６のために構成したＴＰセットは２つのＴＰを含むために、ＵＥ４１６は１ビットを用いて２つのオピニオン（ｏｐｉｎｉｏｎｓ）から１つを選んだ結果をフィードバックできる。この２つのＴＰは以下を含んでもよい。１）ＢＳ２０２のポート０から７を含む合計８つのポートで構成されるＴＰ、ならびに２）ＢＳ２０２のポート０から３、ＢＳ２００のポート０および１、ならびにＢＳ２０４のポート２および３を含む合計８つのポートで構成されるＴＰ。
【００９１】
例２（ｂ）：サービングＢＳ２０２がＵＥ４１６のために構成したＴＰセットは３つのＴＰを含むために、ＵＥ４１６は２ビットを用いて３つのオピニオンから１つを選んだ結果をフィードバックできる。この３つのＴＰは以下を含んでもよい。１）ＢＳ２０２のポート０から７を含む合計８つのポートで構成されるＴＰ、２）ＢＳ２０２のポート０から３、ＢＳ２００のポート０および１、ならびにＢＳ２０４のポート２および３を含む合計８つのポートで構成されるＴＰ、ならびに３）ＢＳ２０２のポート０から３、ＢＳ２００のポート３および４、ならびにＢＳ２０４のポート０および１を含む合計８つのポートで構成されるＴＰ。
【００９２】
例２（ｃ）：サービングＢＳ２０２がＵＥ４１６のために構成したＴＰセットは４つのＴＰを含むために、ＵＥ４１６は２ビットを用いて４つのオピニオンから１つを選んだ結果をフィードバックできる。この４つのＴＰは以下を含んでもよい。１）ＢＳ２０２のポート０から７を含む合計８つのポートで構成されるＴＰ、２）ＢＳ２０２のポート０から３、ＢＳ２００のポート０および１、ならびにＢＳ２０４のポート２および３を含む合計８つのポートで構成されるＴＰ、３）ＢＳ２０２のポート０から３、ＢＳ２００のポート３および４、ならびにＢＳ２０４のポート０および１を含む合計８つのポートで構成されるＴＰ、ならびに４）ＢＳ２０４のポート０から３を含む合計４つのポートで構成されるＴＰ。なお、ＵＥが第４のＴＰを選ぶとき、ＵＥはＢＳ２０４全体を同等に選ぶ。すなわち、ＤＰＳ伝送アプローチが実施される。ここで、ＤＰＳ伝送に対応するこうしたＴＰは、マルチアンテナ・マルチＢＳ協調に参加するＴＰのセットのすべての例示的構成に含まれてもよい。
【００９３】
例２（ｄ）：サービングＢＳ２０２がＵＥ４１６のために構成したＴＰセットは５つのＴＰを含むために、ＵＥ４１６は３ビットを用いて５つのオピニオンから１つを選んだ結果をフィードバックできる。この５つのＴＰは以下を含んでもよい。１）ＢＳ２０２のポート０から７を含む合計８つのポートで構成されるＴＰ、２）ＢＳ２０２のポート０から３、ＢＳ２００のポート０および１、ならびにＢＳ２０４のポート２および３を含む合計８つのポートで構成されるＴＰ、３）ＢＳ２０２のポート０から３、ＢＳ２００のポート３および４、ならびにＢＳ２０４のポート０および１を含む合計８つのポートで構成されるＴＰ、４）ＢＳ２０４のポート０から３を含む合計４つのポートで構成されるＴＰ、ならびに５）ＢＳ２００のポート４から７を含む合計４つのポートで構成されるＴＰ。なお、実際の実施においては、第４および第５のＴＰのポートの数が最初の３つのＴＰのポートの数と異なることが可能である。なぜなら、異なるＴＰは互いに独立した構成を有するためである。ここで、異なる数のポートを有するこうしたＴＰは、マルチアンテナ・マルチＢＳ協調に参加するＡＰのセットのすべての例示的構成に含まれてもよい。
【００９４】
例２（ｅ）：サービングＢＳ２０２がＵＥ４１６のために構成したＴＰセットは６つのＴＰを含むために、ＵＥ４１６は３ビットを用いて６つのオピニオンから１つを選んだ結果をフィードバックできる。この６つのＴＰは以下を含んでもよい。１）ＢＳ２０２のポート０から７を含む合計８つのポートで構成されるＴＰ、２）ＢＳ２０２のポート０から３、ＢＳ２００のポート０および１、ならびにＢＳ２０４のポート２および３を含む合計８つのポートで構成されるＴＰ、３）ＢＳ２０２のポート０から３、ＢＳ２００のポート３および４、ならびにＢＳ２０４のポート０および１を含む合計８つのポートで構成されるＴＰ、４）ＢＳ２０４のポート０から３を含む合計４つのポートで構成されるＴＰ、５）ＢＳ２００のポート４から７を含む合計４つのポートで構成されるＴＰ、ならびに６）ＢＳ２０４のポート０から３、およびＢＳ２００のポート７および８を含む合計６つのポートで構成されるＴＰ。なお、第６のＴＰはＢＳ２０４のすべてのポートおよび別のＢＳの一部（またはすべて）のポートで構成される。ここで、こうしたＴＰは、マルチアンテナ・マルチＢＳ協調に参加するＡＰのセットのすべての例示的構成に含まれてもよい。
【００９５】
例２（ｆ）：サービングＢＳ２０２がＵＥ４１６のために構成したＴＰセットは７つのＴＰを含むために、ＵＥ４１６は３ビットを用いて７つのオピニオンから１つを選んだ結果をフィードバックできる。この７つのＴＰは以下を含んでもよい。１）ＢＳ２０２のポート０から７を含む合計８つのポートで構成されるＴＰ、２）ＢＳ２０２のポート０から３、ＢＳ２００のポート０および１、ならびにＢＳ２０４のポート２および３を含む合計８つのポートで構成されるＴＰ、３）ＢＳ２０２のポート０から３、ＢＳ２００のポート３および４、ならびにＢＳ２０４のポート０および１を含む合計８つのポートで構成されるＴＰ、４）ＢＳ２０４のポート０から３を含む合計４つのポートで構成されるＴＰ、５）ＢＳ２００のポート４から７を含む合計４つのポートで構成されるＴＰ、６）ＢＳ２０４のポート０から３、およびＢＳ２００のポート７および８を含む合計６つのポートで構成されるＴＰ、ならびに７）ＢＳ２００のポート０から７を含む合計８つのポートで構成されるＴＰ。
【００９６】
例２（ｇ）：サービングＢＳ２０２がＵＥ４１６のために構成したＴＰセットは８つのＴＰを含むために、ＵＥ４１６は３ビットを用いて８つのオピニオンから１つを選んだ結果をフィードバックできる。この８つのＴＰは以下を含んでもよい。１）ＢＳ２０２のポート０から７を含む合計８つのポートで構成されるＴＰ、２）ＢＳ２０２のポート０から３、ＢＳ２００のポート０および１、ならびにＢＳ２０４のポート２および３を含む合計８つのポートで構成されるＴＰ、３）ＢＳ２０２のポート０から３、ＢＳ２００のポート３および４、ならびにＢＳ２０４のポート０および１を含む合計８つのポートで構成されるＴＰ、４）ＢＳ２０４のポート０から３を含む合計４つのポートで構成されるＴＰ、５）ＢＳ２００のポート４から７を含む合計４つのポートで構成されるＴＰ、６）ＢＳ２０４のポート０から３、およびＢＳ２００のポート７および８を含む合計６つのポートで構成されるＴＰ、７）ＢＳ２００のポート０から７を含む合計８つのポートで構成されるＴＰ、ならびに８）ＢＳ２００のポート３および４、ＢＳ２０２のポート０から３、ならびにＢＳ２０４のポート０および１の合計で構成されるＴＰ。なお、実際の実施においては、第８のＴＰおよび第３のＴＰが、順序の異なる８つのポートの同じセットを有することが可能である。なぜなら、異なるポート順序を有するＴＰは異なるＴＰとみなされるためである。
【００９７】
（広帯域ＣＱＩおよびＡＭＣテーブルの選択の指標）
（例３）：ＵＥ４１６に対して非コヒーレントＪＴは非常に高いシステムスループットを達成すると仮定し、ＵＥ４１６はタイプ４のフィードバックを行うときに、連結符号化または結合符号化などを通じて広帯域ＣＱＩの前または後にサービングＢＳにＡＭＣテーブルの選択の指標（典型的に１〜３ビットで表わされる）をフィードバックしてもよい。その結果、ＢＳのスケジューラは非コヒーレントＪＴがどのリソースに対して優れた性能を達成できるかを正確に把握できる。こうして形成された新たなフィードバックタイプを図１０に示す。
【００９８】
前記ＡＭＣテーブルは、信号対干渉雑音比（Ｓｉｇｎａｌ  ｔｏ  Ｉｎｔｅｒｆｅｒｅｎｃｅ  ａｎｄ  Ｎｏｉｓｅ  Ｒａｔｉｏ：ＳＩＮＲ）とＣＱＩとのマッピング関係を反映するマッピングテーブルである。変調符号化テーブルに従って、ＵＥは、正の整数であるＳＩＮＲ対ＣＱＩインデックスに対応する信頼性の高い伝送（一般的にはパケット誤り率０．１であることが信頼性の高い伝送と考えられる）が可能な変調符号化レベルをマップする（すなわち、ＵＥは量子化ＣＱＩを得る）。非コヒーレントＪＴが採用されるとき、その非コヒーレントＪＴの異なる性能に対して適用される複数の異なるバージョンの変調符号化テーブルが存在してもよい。たとえば、図１１に示されるとおり、基準の変調符号化テーブルをシフトすることによって、複数の異なるバージョンの変調符号化テーブルを得ることができる。図１１において、左側のテーブルは現行ＬＴＥシステムにおいて用いられる変調符号化テーブルであり、ここで伝送フォーマットインデックスとは、変調符号化インデックスすなわちＣＱＩを示す。このテーブル全体を上方向にシフトすることによって、図１１の右側に示されるとおり、別バージョンの変調符号化テーブルが得られる。なお、図１１の右側のテーブルにおいて、各々が変調レベル８（２５６ＱＡＭ変調に対応する）を有する第１９行から第２４行は、図１１の左側のテーブルには存在しない。なぜなら、変調符号化テーブル全体が上方向にシフトされたために、結果としてテーブルの下部に空の部分がもたらされ、その部分により高レベルの変調符号化スキームを格納する必要があったためである。もちろん、変調符号化テーブル全体が下方向にシフトされてもよく、その結果としてテーブルの上部に空の部分がもたらされ、その部分により低レベルの変調符号化スキームを格納する必要がある。
【００９９】
既存のフィードバックモード１−０またはモード２−０に基づいて新たなフィードバックモード１−０またはモード２−０を形成するためのアプローチの１つを上述した。なお、このアプローチにおける広帯域ＣＱＩは、非コヒーレントＪＴに対する効果が限られている。したがって、新たなフィードバックモード１−０またはモード２−０を形成するための別のアプローチとして、モード１−０またはモード２−０のタイプ４（広帯域ＣＱＩ）から広帯域ＣＱＩを削除して、タイプ４の中にエンハンスドＣＳＩを加えてもよく、それによって図１２に示されるとおりの新たなフィードバックタイプが形成され、かつ対応する新たなフィードバックモード１−０またはモード２−０が形成される。
【０１００】
加えて、ＲＩは非コヒーレントＪＴにとって不必要であり得ることを注記する。このことは、サービングＴＰがＲＩを有し、協働ＴＰが独立のＲＩを有さずに単純にサービングＴＰと同じＲＩを使用するために、非コヒーレントＪＴに対するＲＩがサービングＴＰのＲＩと同じになるときに当てはまる（非特許文献９、すなわちＴＳＧ−ＲＡＮ  ＷＧ１会議＃６７において提案されたＲ１−１１４２５８、エリクソン（Ｅｒｉｃｓｓｏｎ）、「ＤＬ  ＣｏＭＰに対するＣＳＩフィードバック（ＣＳＩ  Ｆｅｅｄｂａｃｋ  ｆｏｒ  ＤＬ  ＣｏＭＰ）」を参照）。こうした場合には、モード１−０またはモード２−０からタイプ３（ＲＩ）を削除して、対応する新たなモード１−０またはモード２−０を形成することが可能である。
【０１０１】
さらに、既存のモード２−０のタイプ１において、ＢＰにおけるただ１つの好ましいサブバンド位置と、サブバンドにおける第１のコードワードのＣＱＩとがフィードバックされることを注記する。マルチストリーム・マルチコードワード非コヒーレントＪＴを支援するために、対応する新たなモード２−０は、ＢＰにおける１つの好ましいサブバンド位置と、サブバンドにおける個々のコードワードに対するＣＱＩとをフィードバックするように形成される必要がある。
【０１０２】
ここに、上記のＣＳＩフィードバック法の実施を可能にするＵＥ１３００も提供される。図１３は、本発明によるＵＥ１３００の概略ブロック図である。
【０１０３】
図１３に示されるとおり、本発明によるＵＥ１３００は、非コヒーレントＪＴが行われる通信リソースを選択するように構成されたリソース選択ユニット１３１０を含み、非コヒーレントＪＴは選択された通信リソースを用いることによって性能目標を達成し、ＵＥ１３００はさらに、非コヒーレントＪＴに参加するＢＳに、選択された通信リソースの指標をエンハンスドＣＳＩとしてフィードバックするように構成されたＣＳＩフィードバックユニット１３３０を含む。
【０１０４】
好ましくは、ＬＴＥまたはＬＴＥ−Ａシステムにおいて、モード１−０またはモード２−０はエンハンスドＣＳＩのフィードバックを可能にするように変更され、ＣＳＩフィードバックユニットはその変更されたモード１−０またはモード２−０に従ってＣＳＩをフィードバックする。
【０１０５】
さらに、モード１−０またはモード２−０のフィードバックタイプ４が、広帯域ＣＱＩおよびエンハンスドＣＳＩをフィードバックするためのフィードバックタイプに置換されることによって、対応する新たなモード１−０またはモード２−０が形成されるとき、ＵＥはさらに、エンハンスドＣＳＩおよび広帯域ＣＱＩを連結するように構成された連結ユニット１３２０を含んでもよく、ＣＳＩフィードバックユニットは新たなモード１−０またはモード２−０に従って連結された広帯域ＣＱＩおよびエンハンスドＣＳＩをフィードバックする。代替的に、モード１−０またはモード２−０のフィードバックタイプ４が、広帯域ＣＱＩおよびエンハンスドＣＳＩをフィードバックするためのフィードバックタイプに置換されることによって、対応する新たなモード１−０またはモード２−０が形成されるとき、ＵＥはさらに、エンハンスドＣＳＩおよび広帯域ＣＱＩを結合的に符号化するように構成された結合符号化ユニット１３２０を含んでもよく、ＣＳＩフィードバックユニットは新たなモード１−０またはモード２−０に従って結合的に符号化された広帯域ＣＱＩおよびエンハンスドＣＳＩをフィードバックする。
【０１０６】
加えて、本発明は次のとおりに表され得る。
【０１０７】
上記の目的を達成するために、本発明の第１の局面に従うと、チャネル状態情報（ＣＳＩ）フィードバック法が提供され、この方法は、非コヒーレント結合伝送（ＪＴ）が行われる通信リソースを選択するステップであって、非コヒーレントＪＴは選択された通信リソースを用いることによって性能目標を達成する、ステップと、非コヒーレントＪＴに参加する基地局（ＢＳ）に、選択された通信リソースの指標をエンハンスドＣＳＩとしてフィードバックするステップとを含む。
【０１０８】
好ましくは、エンハンスドＣＳＩは、バンド部分（ＢＰ）の選択の指標、伝送ポイント（ＴＰ）の選択の指標、または適応変調符号化（Ａｄａｐｔｉｖｅ  Ｍｏｄｕｌａｔｉｏｎ  ａｎｄ  Ｃｏｄｉｎｇ：ＡＭＣ）テーブルの選択の指標であってもよい。さらに、エンハンスドＣＳＩは上記の指標の少なくとも２つの組み合わせであってもよい。
【０１０９】
好ましくは、ＬＴＥまたはＬＴＥ−Ａシステムにおいて、モード１−０またはモード２−０のフィードバックタイプ４が、広帯域ＣＱＩおよびエンハンスドＣＳＩをフィードバックするためのフィードバックタイプに置換されることによって、新たなモード１−０または新たなモード２−０が形成される。さらに、エンハンスドＣＳＩおよび広帯域ＣＱＩが連結または結合的に符号化されてもよく、その連結または結合的に符号化された広帯域ＣＱＩおよびエンハンスドＣＳＩは、新たなモード１−０または新たなモード２−０に従ってフィードバックされる。
【０１１０】
代替的に、ＬＴＥまたはＬＴＥ−Ａシステムにおいて、モード１−０またはモード２−０のフィードバックタイプ４が、エンハンスドＣＳＩのみをフィードバックするためのフィードバックタイプに置換される。
【０１１１】
好ましくは、モード１−０またはモード２−０からフィードバックタイプ３が除去される。
【０１１２】
好ましくは、モード２−０のフィードバックタイプ１が、ＢＰにおける１つの好ましいサブバンド位置と、サブバンドにおける個々のコードワードに対するＣＱＩとをフィードバックするためのフィードバックタイプに置換される。
【０１１３】
本発明の目的を達成するために、本発明の第２の局面に従うと、ユーザ機器（ＵＥ）が提供され、このユーザ機器は、非コヒーレントＪＴが行われる通信リソースを選択するように構成されたリソース選択ユニットを含み、非コヒーレントＪＴは選択された通信リソースを用いることによって性能目標を達成し、ユーザ機器はさらに、非コヒーレントＪＴに参加するＢＳに、選択された通信リソースの指標をエンハンスドＣＳＩとしてフィードバックするように構成されたＣＳＩフィードバックユニットを含む。
【０１１４】
好ましくは、エンハンスドＣＳＩは、ＢＰの選択の指標、ＴＰの選択の指標、およびＡＭＣテーブルの選択の指標のうちの少なくとも１つである。
【０１１５】
好ましくは、ＬＴＥまたはＬＴＥ−Ａシステムにおいて、モード１−０またはモード２−０はエンハンスドＣＳＩのフィードバックを可能にするように変更され、ＣＳＩフィードバックユニットはその変更されたモード１−０またはモード２−０に従ってＣＳＩをフィードバックする。
【０１１６】
好ましくは、モード１−０またはモード２−０のフィードバックタイプ４が、広帯域ＣＱＩおよびエンハンスドＣＳＩをフィードバックするためのフィードバックタイプに置換されることによって、新たなモード１−０または新たなモード２−０が形成され、ＵＥは、エンハンスドＣＳＩおよび広帯域ＣＱＩを連結するように構成された連結ユニットをさらに含み、ＣＳＩフィードバックユニットは新たなモード１−０または新たなモード２−０に従って連結された広帯域ＣＱＩおよびエンハンスドＣＳＩをフィードバックする。
【０１１７】
あるいは、ＵＥは、エンハンスドＣＳＩおよび広帯域ＣＱＩを結合的に符号化するように構成された結合符号化ユニットを含み、ＣＳＩフィードバックユニットは新たなモード１−０または新たなモード２−０に従って結合的に符号化された広帯域ＣＱＩおよびエンハンスドＣＳＩをフィードバックする。
【０１１８】
なお、本発明の解決策は単なる例として上に説明されている。しかしながら、本発明は上記のステップおよび構成要素構造に限定されない。実際の要求によって、ステップおよび構成要素構造を調整、追加および除去することが可能である。よって、ステップおよび構成要素のいくつかは、本発明の一般的発明概念を達成するために必須のものではない。したがって、本発明に必要な特徴は上記の特定の例ではなく、本発明の一般的発明概念を達成するための最低限の要件にのみ限定される。
【０１１９】
本発明の好ましい実施形態を参照して、本発明について上に説明した。本発明の趣旨および範囲から逸脱することなく、当業者によってさまざまな修正、変更および追加が行われ得ることが理解されるべきである。したがって、本発明の範囲は上記の特定の実施形態に限定されず、添付の請求項によってのみ定義される。
【図１】
2015515761.tif 000003
【図２】
2015515761.tif 000004
【図３】
2015515761.tif 000005
【図４】
2015515761.tif 000006
【図５】
2015515761.tif 000007
【図６】
2015515761.tif 000008
【図７】
2015515761.tif 000009
【図８】
2015515761.tif 000010
【図９】
2015515761.tif 000011
【図１０】
2015515761.tif 000012
【図１１】
2015515761.tif 000013
【図１２】
2015515761.tif 000014
【図１３】
2015515761.tif 000015
【手続補正書】
【提出日】平成26年9月17日(2014.9.17)
【手続補正１】
【補正対象書類名】明細書
【補正対象項目名】００５１
【補正方法】変更
【補正の内容】
【００５１】
モード１−１（サブモード１）、モード１−１（サブモード２）およびモード２−１と、フィードバックの元のタイプおよび上記の新タイプとの間のモード−タイプの関係は次のとおりである。
【手続補正２】
【補正対象書類名】明細書
【補正対象項目名】００９３
【補正方法】変更
【補正の内容】
【００９３】
例２（ｄ）：サービングＢＳ２０２がＵＥ４１６のために構成したＴＰセットは５つのＴＰを含むために、ＵＥ４１６は３ビットを用いて５つのオピニオンから１つを選んだ結果をフィードバックできる。この５つのＴＰは以下を含んでもよい。１）ＢＳ２０２のポート０から７を含む合計８つのポートで構成されるＴＰ、２）ＢＳ２０２のポート０から３、ＢＳ２００のポート０および１、ならびにＢＳ２０４のポート２および３を含む合計８つのポートで構成されるＴＰ、３）ＢＳ２０２のポート０から３、ＢＳ２００のポート３および４、ならびにＢＳ２０４のポート０および１を含む合計８つのポートで構成されるＴＰ、４）ＢＳ２０４のポート０から３を含む合計４つのポートで構成されるＴＰ、ならびに５）ＢＳ２００のポート４から７を含む合計４つのポートで構成されるＴＰ。なお、実際の実施においては、第４および第５のＴＰのポートの数が最初の３つのＴＰのポートの数と異なることが可能である。なぜなら、異なるＴＰは互いに独立した構成を有するためである。ここで、異なる数のポートを有するこうしたＴＰは、マルチアンテナ・マルチＢＳ協調に参加するＴＰのセットのすべての例示的構成に含まれてもよい。
【手続補正３】
【補正対象書類名】明細書
【補正対象項目名】００９４
【補正方法】変更
【補正の内容】
【００９４】
例２（ｅ）：サービングＢＳ２０２がＵＥ４１６のために構成したＴＰセットは６つのＴＰを含むために、ＵＥ４１６は３ビットを用いて６つのオピニオンから１つを選んだ結果をフィードバックできる。この６つのＴＰは以下を含んでもよい。１）ＢＳ２０２のポート０から７を含む合計８つのポートで構成されるＴＰ、２）ＢＳ２０２のポート０から３、ＢＳ２００のポート０および１、ならびにＢＳ２０４のポート２および３を含む合計８つのポートで構成されるＴＰ、３）ＢＳ２０２のポート０から３、ＢＳ２００のポート３および４、ならびにＢＳ２０４のポート０および１を含む合計８つのポートで構成されるＴＰ、４）ＢＳ２０４のポート０から３を含む合計４つのポートで構成されるＴＰ、５）ＢＳ２００のポート４から７を含む合計４つのポートで構成されるＴＰ、ならびに６）ＢＳ２０４のポート０から３、およびＢＳ２００のポート７および８を含む合計６つのポートで構成されるＴＰ。なお、第６のＴＰはＢＳ２０４のすべてのポートおよび別のＢＳの一部（またはすべて）のポートで構成される。ここで、こうしたＴＰは、マルチアンテナ・マルチＢＳ協調に参加するＴＰのセットのすべての例示的構成に含まれてもよい。
【国際調査報告】
2015515761.tif 000016